(57)【要約】【課題】商品販売システムと連動している電子カタログに基づいて、自由にレイアウト可能であって、商品販売システムとの連動が維持されたプレゼンシートを作成する。【解決手段】電子カタログ編集装置２は、紙面表示ファイル３１をブックビューア画面２５に表示し（Ｓ１）。切り抜き領域の指定を受け付ける（Ｓ２）。次に、電子カタログ編集装置２は、切り抜き領域が、紙面非表示ファイル３２に記載されている掲載領域の一部を含む場合には、対応する商品識別番号を切り抜き領域の画像と対応付けて対応関係をデータファイルに記憶する（Ｓ３）。次に、電子カタログ編集装置２は、切り抜き領域の画像の貼付指示を受け付け（Ｓ４）、プレゼンシート表示ファイル３６を作成し（Ｓ５）、プレゼンシート表示ファイル３６と対応付けて、切り抜き領域の画像の掲載領域及び商品識別番号の対応関係が記載されるプレゼンシート非表示ファイル３７を作成する（Ｓ６）。【選択図】図６
2013242634.tif 000002
【特許請求の範囲】
【請求項１】
商品販売システムと連動する電子カタログを編集する電子カタログ編集装置であって、
前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、
前記紙面表示ファイルをブックビューア画面に表示する表示部と、
前記ブックビューア画面に表示されている前記紙面表示ファイルに対して、切り抜き領域の指定を受け付ける入力部と、
前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶する制御部と、
を備え、
前記入力部は、プレゼンシート画面に対する前記切り抜き領域の画像の貼付指示を受け付け、
前記制御部は、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成する
ことを特徴とする電子カタログ編集装置。
【請求項２】
前記制御部は、前記入力部によって指定される前記切り抜き領域が、前記紙面非表示ファイルに記載されている複数の前記掲載領域の一部を含む場合には、それぞれ対応する前記商品識別番号を前記切り抜き領域の画像と対応付けて複数の対応関係を前記データファイルに記憶する
ことを特徴とする請求項１に記載の電子カタログ編集装置。
【請求項３】
前記入力部は、前記ブックビューア画面に表示されている前記プレゼンシート表示ファイルに対して、前記切り抜き領域の画像によって特定される商品のカート追加指示を受け付け、
前記制御部は、前記入力部によって前記カート追加指示が受け付けられると、前記プレゼンシート非表示ファイルを参照して前記商品識別番号を特定し、前記商品識別番号の商品をカートに追加し、
前記表示部は、商品が追加されたカート画面を表示する
ことを特徴とする請求項１又は請求項２に記載の電子カタログ編集装置。
【請求項４】
前記入力部は、前記ブックビューア画面に表示されている前記プレゼンシート表示ファイルに対して、前記切り抜き領域の画像によって特定される商品の詳細表示指示を受け付け、
前記制御部は、前記入力部によって前記詳細表示指示が受け付けられると、前記プレゼンシート非表示ファイルを参照して前記商品識別番号を特定し、前記商品識別番号の商品を検索し、
前記表示部は、検索された商品の詳細表示画面を表示する
ことを特徴とする請求項１乃至請求項３のいずれかに記載の電子カタログ編集装置。
【請求項５】
商品販売システムと連動する電子カタログを編集する電子カタログ編集方法であって、
前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、
表示部が、前記紙面表示ファイルをブックビューア画面に表示するステップと、
入力部が、前記ブックビューア画面に表示されている前記紙面表示ファイルに対して、切り抜き領域の指定を受け付けるステップと、
制御部が、前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶するステップと、
前記入力部が、プレゼンシート画面に対する前記切り抜き領域の画像の貼付指示を受け付けるステップと、
前記制御部が、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成するステップと、
を含むことを特徴とする電子カタログ編集方法。
【請求項６】
コンピュータに、商品販売システムと連動する電子カタログを編集する電子カタログ編集方法を実行させるためのプログラムであって、
前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、
表示部が、前記紙面表示ファイルをブックビューア画面に表示するステップと、
入力部が、前記ブックビューア画面に表示されている前記紙面表示ファイルに対して、切り抜き領域の指定を受け付けるステップと、
制御部が、前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶するステップと、
前記入力部が、プレゼンシート画面に対する前記切り抜き領域の画像の貼付指示を受け付けるステップと、
前記制御部が、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成するステップと、
を実行させるためのプログラム。
【請求項７】
商品販売システムと連動する電子カタログを配信する配信サーバと、前記電子カタログを編集する電子カタログ編集装置とがネットワークを介して接続される電子カタログ提供システムであって、
前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、
前記配信サーバは、
前記電子カタログを記憶する記憶部と、
前記電子カタログ編集装置からの要求に応じて、前記電子カタログを検索する第１制御部と、
検索される前記電子カタログを前記電子カタログ編集装置に送信する第１通信制御部と、
を備え、
前記電子カタログ編集装置は、
前記配信サーバから前記電子カタログを受信する第２通信制御部と、
前記紙面表示ファイルをブックビューア画面に表示する表示部と、
前記ブックビューア画面に表示されている前記紙面表示ファイルに対して、切り抜き領域の指定を受け付ける入力部と、
前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶する第２制御部と、
を備え、
前記入力部は、プレゼンシート画面に対する前記切り抜き領域の画像の貼付指示を受け付け、
前記第２制御部は、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成する
ことを特徴とする電子カタログ提供システム。
【請求項８】
前記第２通信制御部は、作成される前記プレゼンシート表示ファイルと前記プレゼンシート非表示ファイルとによって構成されるプレゼンシートデータを前記配信サーバに送信し、
前記第１通信制御部は、前記配信サーバから前記プレゼンシートデータを受信し、
前記記憶部は、前記プレゼンシートデータを記憶する
ことを特徴とする請求項７に記載の電子カタログ提供システム。
【発明の詳細な説明】
【技術分野】
【０００１】
本発明は、電子カタログを編集する電子カタログ編集装置等に関するものである。
【背景技術】
【０００２】
従来から、多品種の商品を取り扱う会社の営業担当者が、顧客に対して対面販売を行う場合、商品のカタログを用いた販売促進活動が行われている。しかし、商品数が膨大になると、推薦商品が掲載されているページを探すことが面倒になる。例えば、電子カタログであれば、検索機能を利用することができるものの、閲覧商品が変わるたびに検索作業を行うことになり、面倒である。そこで、予め推薦商品のカタログ情報を纏めたプレゼンシートを簡単に作成できる仕組みがあれば、大変便利である。
【０００３】
特許文献１には、結婚式の引出物等に用いられるチョイスカタログを簡単に編集し、オリジナリティのある商品カタログを作成するためのカタログ編集装置が開示されている。特許文献１に記載のカタログ編集装置では、商品を検索する際の検索条件を受け付け、検索条件に従い商品データベースを検索し、検索条件に該当する商品の商品紹介情報を予め定義されているレイアウトテンプレートに流し込む。商品紹介情報は、商品の画像、商品名、商品仕様及び注文番号である。編集内容は、製本化されて紙媒体として出力されるか、ＰＤＦファイルとして出力される。
【先行技術文献】
【特許文献】
【０００４】
【特許文献１】特開２００９−１４５９８１号公報
【発明の概要】
【発明が解決しようとする課題】
【０００５】
しかしながら、特許文献１では、予め定義されているレイアウトテンプレートを用いるため、レイアウトが固定化されてしまう。
【０００６】
また、電子カタログの一部には、商品販売システムと連動し、見積り処理や発注処理を行うことが可能なものがある。このような電子カタログにおいて、特許文献１のように、商品の画像、商品名、商品仕様及び注文番号のみが出力される場合、商品販売システムとの連動ができなくなる。
【０００７】
本発明は、前述した問題点に鑑みてなされたものであり、その目的とすることは、商品販売システムと連動している電子カタログに基づいて、自由にレイアウト可能であって、商品販売システムとの連動が維持されたプレゼンシートを作成することが可能な電子カタログ編集装置等を提供することである。
【課題を解決するための手段】
【０００８】
前述した目的を達成するための第１の発明は、商品販売システムと連動する電子カタログを編集する電子カタログ編集装置であって、前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、前記紙面表示ファイルをブックビューア画面に表示する表示部と、前記ブックビューア画面に表示されている前記紙面表示ファイルに対して、切り抜き領域の指定を受け付ける入力部と、前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶する制御部と、を備え、前記入力部は、プレゼンシート画面に対する前記切り抜き領域の画像の貼付指示を受け付け、前記制御部は、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成することを特徴とする電子カタログ編集装置である。第１の発明によって、ユーザは、商品情報を自由にレイアウトし、商品販売システムとの連動が維持されたプレゼンシートを作成することができる。
【０００９】
第１の発明における前記制御部は、前記入力部によって指定される前記切り抜き領域が、前記紙面非表示ファイルに記載されている複数の前記掲載領域の一部を含む場合には、それぞれ対応する前記商品識別番号を前記切り抜き領域の画像と対応付けて複数の対応関係を前記データファイルに記憶することが望ましい。これによって、ユーザは、一回のドラッグ操作によって複数の商品を切り抜いて、商品販売システムとの連動が維持されたプレゼンシートを作成することができる。
【００１０】
第１の発明における前記入力部は、前記ブックビューア画面に表示されている前記プレゼンシート表示ファイルに対して、前記切り抜き領域の画像によって特定される商品のカート追加指示を受け付け、前記制御部は、前記入力部によって前記カート追加指示が受け付けられると、前記プレゼンシート非表示ファイルを参照して前記商品識別番号を特定し、前記商品識別番号の商品をカートに追加し、前記表示部は、商品が追加されたカート画面を表示することが望ましい。これによって、ユーザは、電子カタログと同様に、プレゼンシートからも、商品販売システムにおける見積り処理や発注処理を行うことができる。
【００１１】
第１の発明における前記入力部は、前記ブックビューア画面に表示されている前記プレゼンシート表示ファイルに対して、前記切り抜き領域の画像によって特定される商品の詳細表示指示を受け付け、前記制御部は、前記入力部によって前記詳細表示指示が受け付けられると、前記プレゼンシート非表示ファイルを参照して前記商品識別番号を特定し、前記商品識別番号の商品を検索し、前記表示部は、検索された商品の詳細表示画面を表示することが望ましい。これによって、ユーザは、電子カタログと同様に、プレゼンシートからも、商品の詳細情報を確認することができる。
【００１２】
第２の発明は、商品販売システムと連動する電子カタログを編集する電子カタログ編集方法であって、前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、表示部が、前記紙面表示ファイルをブックビューア画面に表示するステップと、入力部が、前記ブックビューア画面に表示されている前記紙面表示ファイルに対して、切り抜き領域の指定を受け付けるステップと、制御部が、前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶するステップと、前記入力部が、プレゼンシート画面に対する前記切り抜き領域の画像の貼付指示を受け付けるステップと、前記制御部が、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成するステップと、を含むことを特徴とする電子カタログ編集方法である。第２の発明によって、ユーザは、商品情報を自由にレイアウトし、商品販売システムとの連動が維持されたプレゼンシートを作成することができる。
【００１３】
第３の発明は、コンピュータに、商品販売システムと連動する電子カタログを編集する電子カタログ編集方法を実行させるためのプログラムであって、前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、表示部が、前記紙面表示ファイルをブックビューア画面に表示するステップと、入力部が、前記ブックビューア画面に表示されている前記紙面表示ファイルに対して、切り抜き領域の指定を受け付けるステップと、制御部が、前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶するステップと、前記入力部が、プレゼンシート画面に対する前記切り抜き領域の画像の貼付指示を受け付けるステップと、前記制御部が、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成するステップと、を実行させるためのプログラムである。第３の発明のプログラムを汎用のコンピュータにインストールすることによって、第２の発明の電子カタログ編集方法を実行することができる。
【００１４】
第４の発明は、商品販売システムと連動する電子カタログを配信する配信サーバと、前記電子カタログを編集する電子カタログ編集装置とがネットワークを介して接続される電子カタログ提供システムであって、前記電子カタログは、ページ毎に、１又は複数の商品情報が掲載されている紙面表示ファイルと、前記商品販売システムにおいて商品を一意に識別する商品識別番号及び前記商品情報の掲載領域の対応関係が記載されている紙面非表示ファイルと、によって構成されているものであり、前記配信サーバは、前記電子カタログを記憶する記憶部と、前記電子カタログ編集装置からの要求に応じて、前記電子カタログを検索する第１制御部と、検索される前記電子カタログを前記電子カタログ編集装置に送信する第１通信制御部と、を備え、前記電子カタログ編集装置は、前記配信サーバから前記電子カタログを受信する第２通信制御部と、前記紙面表示ファイルをブックビューア画面に表示する表示部と、前記ブックビューア画面に表示されている前記紙面表示ファイルに対して、切り抜き領域の指定を受け付ける入力部と、前記入力部によって指定される前記切り抜き領域が、前記紙面非表示ファイルに記載されている前記掲載領域の一部を含む場合には、対応する前記商品識別番号を前記切り抜き領域の画像と対応付けて対応関係をデータファイルに記憶する第２制御部と、を備え、前記入力部は、プレゼンシート画面に対する前記切り抜き領域の画像の貼付指示を受け付け、前記第２制御部は、前記入力部によって前記貼付指示が受け付けられると、前記プレゼンシート画面に前記切り抜き領域の画像を貼り付けてプレゼンシート表示ファイルを作成するとともに、前記プレゼンシート表示ファイルと対応付けて、前記切り抜き領域の画像の掲載領域及び前記データファイルに記憶されている前記商品識別番号の対応関係が記載されるプレゼンシート非表示ファイルを作成することを特徴とする電子カタログ提供システムである。第４の発明によって、ユーザは、いつでも最新の電子カタログを入手することができ、最新の電子カタログに基づいて、商品情報を自由にレイアウトし、商品販売システムとの連動が維持されたプレゼンシートを作成することができる。
【００１５】
第４の発明における前記第２通信制御部は、作成される前記プレゼンシート表示ファイルと前記プレゼンシート非表示ファイルとによって構成されるプレゼンシートデータを前記配信サーバに送信し、前記第１通信制御部は、前記配信サーバから前記プレゼンシートデータを受信し、前記記憶部は、前記プレゼンシートデータを記憶することが望ましい。これによって、ユーザは、他のユーザによって作成されたプレゼンシートデータをいつでも入手することができる。
【発明の効果】
【００１６】
本発明により、商品販売システムと連動している電子カタログに基づいて、自由にレイアウト可能であって、商品販売システムとの連動が維持されたプレゼンシートを作成することができる。
【図面の簡単な説明】
【００１７】
【図１】電子カタログ提供システムの全体構成を示す図
【図２】コンピュータのハードウエア構成図
【図３】画面遷移を示す図
【図４】紙面データ及びプレゼンシートデータのファイル構成を示す図
【図５】紙面非表示ファイルの一例を示す図
【図６】電子カタログ編集装置２の処理の流れを示すフローチャート
【図７】ブックビューア画面の一例を示す図
【図８】クリップ機能の操作例を示す図（１）
【図９】クリップ機能の操作例を示す図（２）
【図１０】クリップ機能の操作例を示す図（３）
【図１１】プレゼンシート作成（編集）機能の操作例を示す図（１）
【図１２】プレゼンシート作成（編集）機能の操作例を示す図（２）
【図１３】プレゼンシート作成（編集）機能の操作例を示す図（３）
【図１４】プレゼンシート画面及びカート画面の一例を示す図
【図１５】商品詳細画面の一例を示す図
【発明を実施するための形態】
【００１８】
以下図面に基づいて、本発明の実施形態を詳細に説明する。
【００１９】
図１は、電子カタログ提供システム１の全体構成図である。図１に示すように、電子カタログ提供システム１は、電子カタログ編集装置２と配信サーバ３とがネットワーク７を介して接続されて構成されている。電子カタログは、商品販売システムと連動する。ユーザは、電子カタログから、商品販売システムにおける見積り処理や発注処理を行うことが可能である。
【００２０】
配信サーバ３は、電子カタログを配信するサーバである。配信サーバ３は、商品情報ＤＢ（Database）４、カタログ配信ＤＢ５、プレゼンシートＤＢ６等を有する。商品情報ＤＢ４は、電子カタログに掲載される商品データ等を記憶する。カタログ配信ＤＢ５は、電子カタログの紙面データや、電子カタログを利用するユーザのデータ等を記憶する。プレゼンシートＤＢ６は、ユーザによって作成されるプレゼンシートデータ等を記憶する。プレゼンシートデータは、商品を取り扱う会社の営業担当者が、顧客に提案営業を行う際に用いられる。
【００２１】
電子カタログ編集装置２は、デスクトップＰＣ（Personal Computer）、ノートＰＣ、スマートフォン、タブレット端末などである。電子カタログ編集装置２は、電子カタログの閲覧端末及び編集端末として機能する。電子カタログ編集装置２は、配信サーバ３からネットワーク７を介して電子カタログの紙面データを受信し、表示する。また、電子カタログ編集装置２は、ユーザによる指示に従い、ネットワーク７を介して配信サーバ３にプレゼンシートデータを送信する。
【００２２】
尚、電子カタログは、ＷＩＮＤＯＷＳ（登録商標）、ＡＮＤＲＯＩＤ（登録商標）、ｉＯＳ等のＯＳ（Operating System）に対応し、ＰＣ、スマートフォン、タブレット端末等の様々な機器から閲覧可能である。
【００２３】
図２は、コンピュータのハードウエア構成図である。尚、図２のハードウエア構成は一例であり、用途、目的に応じて様々な構成を採ることが可能である。
【００２４】
電子カタログ編集装置２及び配信サーバ３を構築するためのコンピュータは、制御部１１、記憶部１２、入力部１３、表示部１４、通信制御部１５等が、バス１６を介して接続される。
【００２５】
制御部１１は、ＣＰＵ（Central Processing Unit）、ＲＯＭ（Read Only Memory）、ＲＡＭ（Random Access Memory）等で構成される。ＣＰＵは、記憶部１２、ＲＯＭ、記録媒体等に格納されるプログラムをＲＡＭ上のワークメモリ領域に呼び出して実行し、バス１６を介して接続された各装置を駆動制御し、コンピュータが行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００２６】
記憶部１２は、例えば、ＨＤＤ（Hard Disk Drive）やフラッシュメモリなどであり、制御部１１が実行するプログラム、プログラム実行に必要なデータ、ＯＳ等が格納される。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてＲＡＭに移され、ＣＰＵに読み出されて各種の手段として実行される。
【００２７】
入力部１３は、データの入力を行い、例えば、キーボード、マウスやタッチペン等のポインティングデバイス、テンキー、ボタン、スイッチ等の入力装置を有する。ユーザは、入力部１３を介して、コンピュータに対して、操作指示、動作指示、データ入力等を行うことができる。表示部１４は、液晶パネル、有機ＥＬ等のディスプレイ装置、ディスプレイ装置と連携してコンピュータのビデオ機能を実現するための論理回路等（ビデオアダプタ等）を有する。尚、入力部１３及び表示部１４は、タッチパネルディスプレイのように、一体となっていても良い。
【００２８】
通信制御部１５は、通信制御装置、通信ポート等を有し、コンピュータとネットワーク７間の通信を媒介する通信インタフェースであり、ネットワーク７を介して、他のコンピュータ間との通信制御を行う。ネットワーク７は、有線、無線を問わない。バス１６は、各装置間の制御信号、データ信号等の授受を媒介する経路である。
【００２９】
図３は、画面遷移を示す図である。書庫画面２１は、電子カタログの一覧や、新着の電子カタログ等を表示するための画面である。ユーザは、電子カタログ編集装置２の表示部１４に表示される書庫画面２１において、電子カタログの紙面データのダウンロードを配信サーバ３に要求することができる。ダウンロードの要求に対して、配信サーバ３の制御部１１が、カタログ配信ＤＢ５を検索し、配信サーバ３の通信制御部１１が、電子カタログの紙面データを電子カタログ編集装置２に送信する。これによって、ユーザは、いつでも最新の電子カタログを入手することができ、最新の電子カタログに基づいて、商品情報を自由にレイアウトし、商品販売システムとの連動が維持されたプレゼンシートを作成することができる。書庫画面２１からは、ブックビューア画面２５へ遷移できる。尚、点線によって囲まれている書庫画面２１、本棚画面２２、商品検索画面２３及びプレゼンシート画面２４は、画面下部に配置されるボタンによって、互いに遷移することができる。
【００３０】
本棚画面２２は、ダウンロードされた電子カタログや、電子カタログ編集装置２の制御部１１によって作成されるプレゼンシートの一覧を表示するための画面である。尚、プレゼンシートは、配信サーバ３にアップロードすることができるとともに、他のユーザがダウンロードすることもできる。これによって、ユーザは、他のユーザによって作成されたプレゼンシートデータをいつでも入手することができる。本棚画面２２は、ユーザごとの「マイページ」として機能する。本棚画面２２には、電子カタログやプレゼンシートの一覧がサムネイル表示される。ダウンロード済の電子カタログやプレゼンシートが、配信サーバ３側において更新されている場合、本棚画面２２には、その旨が表示される。本棚画面２１からは、ブックビューア画面２５へ遷移できる。
【００３１】
商品検索画面２３は、商品を検索するための画面である。商品検索画面２３では、カテゴリ検索機能、キーワード検索機能、検索結果表示機能等が利用できる。ユーザは、電子カタログ編集装置２の表示部１４に表示される商品検索画面２３において、商品検索を配信サーバ３に要求することができる。商品検索の要求に対して、配信サーバ３の制御部１１が、商品情報ＤＢ４を検索し、配信サーバ３の通信制御部１５が、商品情報のデータを電子カタログ編集装置２に送信する。商品検索画面２３からは、ブックビューア画面２５や商品詳細画面２６に遷移できる。
【００３２】
プレゼンシート画面２４は、紙面データの切り抜きを貼り付けたり、ラベルを貼り付けたりするための画面である。プレゼンシート画面２４における作業結果は、プレゼンシートデータとして保存され、必要に応じてプレゼンシートＤＢ６にアップロードされる。
【００３３】
ブックビューア画面２５は、電子カタログの紙面データや、プレゼンシートのデータを表示するための画面である。ブックビューア画面２５では、前後へのページ送り機能、全文検索機能、全ページのサムネイル表示機能、スクロール機能、目次機能、しおり機能等が利用できる。ブックビューア画面２５からは、商品詳細画面２６やクリップ画面２７、カート画面２８に遷移できる。
【００３４】
商品詳細画面２６は、商品の詳細情報を表示するための画面である。商品詳細画面２６には、商品画像、価格、商品仕様、関連商品などが表示される。商品詳細画面２６からは、ブックビューア画面２５やカート画面２８に遷移できる。
【００３５】
クリップ画面２７は、ブックビューア画面２５に表示されている紙面データの切り抜きの一覧を表示するための画面である。後述するように、クリップ画面２７は、ブックビューア画面２５の下部に重ねて表示される。クリップ画面２７からは、ブックビューア画面２５に遷移できる。
【００３６】
カート画面２８は、見積り処理や発注処理の対象とする商品の一覧を表示するための画面である。ユーザは、カート画面２８において、発注数などを変更することができる。カート画面２８からは、ブックビューア画面２５や、電子カタログと連動する商品販売システムの見積り依頼画面（不図示）や発注画面（不図示）に遷移できる。
【００３７】
図４は、紙面データ及びプレゼンシートデータのファイル構成を示す図である。図４に示すように、電子カタログの紙面データ３０は、ページ毎に、紙面表示ファイル３１及び紙面非表示ファイル３２によって構成される。紙面表示ファイル３１には、１又は複数の商品情報が掲載されており、電子カタログ編集装置２の表示部１４に表示されるデータが含まれる。また、紙面非表示ファイル３２には、商品販売システムにおいて商品を一意に識別する商品識別番号及び商品情報の掲載領域の対応関係が記載されており、電子カタログ編集装置２の表示部１４に表示されるデータは含まれない。紙面表示ファイル３１は、ＤＴＰ（DeskTop Publishing）ソフト等によって作成されるファイルであり、画像データやテキストデータ等を含む。紙面非表示ファイル３２は、例えば、ＸＭＬ（eXtensible Markup Language）形式のファイルである。
【００３８】
また、図４に示すように、プレゼンシートデータ３５は、プレゼンシート表示ファイル３６及びプレゼンシート非表示ファイル３７によって構成される。プレゼンシート表示ファイル３６には、１又は複数の切り抜き領域の画像やラベルが掲載されており、電子カタログ編集装置２の表示部１４に表示されるデータが含まれる。また、プレゼンシート非表示ファイル３７には、プレゼンシート表示ファイル３６と対応付けて、切り抜き領域の画像の掲載領域及び商品識別番号の対応関係が記載されており、電子カタログ編集装置２の表示部１４に表示されるデータは含まれない。プレゼンシート表示ファイル３６は、本発明のプログラムによって作成されるファイルであり、画像データやテキストデータ等を含む。プレゼンシート非表示ファイル３７は、本発明のプログラムによって作成されるファイルであり、例えば、ＸＭＬ（eXtensible Markup Language）形式のファイルである。
【００３９】
図５は、紙面非表示ファイルの一例を示す図である。図５に示すように、紙面非表示ファイル３２は、紙面表示ファイル３１に掲載されている商品ごとに、<productlink>タグが記載されている。<productlink>タグは、<product>タグ及び<area_pos>タグを含む。<product>タグは、少なくとも商品識別番号を含み、必要に応じて商品詳細データの保管場所を示すＵＲＬ（Uniform Resource Locator）も含む。<area_pos>タグは、商品情報の掲載領域を示す座標データを含む。図５に示す例では、商品情報の掲載領域は矩形である。商品情報の掲載領域を示す座標データは、矩形の左上座標及び右下座標である。
【００４０】
以下では、電子カタログ編集装置２として、タッチパネルディスプレイのタブレット端末を例に挙げて、ユーザの画面操作を説明する。例えば、タブレット端末における「タップ」は、ＰＣにおける「マウスクリック」に相当する。また、タブレット端末における「ドラッグ」は、ＰＣにおける「ドラッグ」（同様）に相当する。
【００４１】
図６は、電子カタログ編集装置２の処理の流れを示すフローチャートである。以下では、図６のフローチャートを中心に説明し、必要に応じて、図７〜図１３を参照する。
【００４２】
図６に示すように、電子カタログ編集装置２の表示部１４は、紙面表示ファイル３１をブックビューア画面２５に表示する（Ｓ１）。
【００４３】
図７は、ブックビューア画面の一例を示す図である。ブックビューア画面２５には、画面の最下部において、書庫ボタン４１、本棚ボタン４２、商品検索ボタン４３、プレゼンシートボタン４４、設定ボタン４５が表示される。書庫ボタン４１がタップされると、書庫画面２１に遷移する。本棚ボタン４２がタップされると、本棚画面２２に遷移する。商品検索ボタン４３がタップされると、商品検索画面２３に遷移する。プレゼンシートボタン４４がタップされると、プレゼンシート画面２４に遷移する。設定ボタン４５がタップされると、設定画面（不図示）に遷移する。
【００４４】
図７の例に示すブックビューア画面２５は、書庫画面２１や本棚画面２２においてカタログが選択されることによって表示される。カタログが選択された場合、本棚ボタン４２が選択状態となる。以下では、説明が煩雑にならないように、書庫ボタン４１〜設定ボタン４５の選択状態について説明を省略する。
【００４５】
書庫ボタン４１〜設定ボタン４５は、他のどの画面においても、常に画面の最下部に表示される。また、どの画面においても、各ボタンがタップされたときの動作は同様である。
【００４６】
図７に示すブックビューア画面２５には、紙面表示ファイル４１の内容として、アンティークチェアの画像５１、ダイニングチェアの画像５２、パーソナルチェアの画像５３、デザインチェアＡの画像５４、デザインチェアＢの画像５５、デザインチェアＣの画像５６、アンティークチェアの簡易情報６１、ダイニングチェアの簡易情報６２、パーソナルチェアの簡易情報６３、デザインチェアＡの簡易情報６４、デザインチェアＢの簡易情報６５、デザインチェアＣの簡易情報６６等がレイアウトされている。尚、実際には、図中の点線内部に各商品の画像が表示される。また、図中の点線は、画像の掲載領域を示すために図示したものであり、実際には表示されない。以下、同様に、画像の掲載領域は、点線にて示すものとする。
【００４７】
図６の説明に戻る。次に、電子カタログ編集装置２の入力部１３は、ブックビューア画面２５に表示されている紙面表示ファイル３１に対して、切り抜き領域の指定を受け付ける（Ｓ２）。次に、電子カタログ編集装置２の制御部１１は、入力部１３によって指定される切り抜き領域が、紙面非表示ファイル３２に記載されている掲載領域の一部を含む場合には、対応する商品識別番号を切り抜き領域の画像と対応付けて対応関係をデータファイルに記憶する（Ｓ３）。
【００４８】
図８は、クリップ機能の操作例を示す図（１）である。図８に示すように、ユーザが、ブックビューア画面２５において、画面上部に表示されるツールバー内のクリップボタン（不図示）をタップし、入力部１３がタップ操作を検知すると、電子カタログ編集装置２の表示部１４は、制御部１１による制御に従い、クリップ画面２７をブックビューア画面２５の下部に重ねて表示する。
【００４９】
図８に示すクリップ画面２７には、少なくとも、クリップリスト表示領域７０及びクリップタブ７１が表示される。既に１つ以上の切り抜き領域の画像が存在する場合、クリップ画面２７には、各画像の削除ボタン７２及び全てクリアボタン７３が表示される。図８に示す例では、切り抜き領域の画像として、デザインチェアＡの画像８１と、この画像に対する削除ボタン７２が表示されている。
【００５０】
図９は、クリップ機能の操作例を示す図（２）である。図９に示すように、ユーザが、ブックビューア画面２５内のいずれかの位置をタップし、入力部１３がタップ操作を検知すると、電子カタログ編集装置２の表示部１４は、制御部１１による制御に従い、クリップタブ７１のみを残し、クリップ画面２７を縮小表示する。
【００５１】
更に、図９に示すように、クリップ画面２７が縮小表示されている状態で、ユーザが、ブックビューア画面２５内をドラッグすることによって、矩形の切り抜き領域の始点と終点を指定する。ここで、ユーザは、矩形の切り抜き領域の対角線が決定されるように、ブックビューア画面２５内をドラッグする。更に、ユーザが、クリップボタン７４をタップし、入力部１３がドラッグ操作及びボタンタップ操作を検知すると、電子カタログ編集装置２の制御部１１は、切り抜き領域が、紙面非表示ファイル３２に記載されている掲載領域の一部を含むか否かを判定する。
【００５２】
切り抜き領域が、紙面非表示ファイル３２に記載されている掲載領域の一部を含む場合、電子カタログ編集装置２の制御部１１は、対応する商品識別番号を切り抜き領域の画像と対応付けて対応関係をデータファイルに記憶する。ここで、データファイルとは、コンピュータ上で一時的にデータを保存できる共有のメモリ領域（いわゆるクリップボード）のことである。
【００５３】
図９に示すブックビューア画面２５では、切り抜き領域８１（太線にて図示）が、デザインチェアＣの画像５６の掲載領域のほとんどを含んでいる。従って、電子カタログ編集装置２の制御部１１は、デザインチェアＣの商品識別番号を切り抜き領域の画像と対応付けて対応関係をデータファイルに記憶する。
【００５４】
また、切り抜き領域が、紙面非表示ファイル３２に記載されている複数の掲載領域の一部を含む場合には、電子カタログ編集装置２の制御部１１は、それぞれ対応する商品識別番号を切り抜き領域の画像と対応付けて複数の対応関係をデータファイルに記憶する。これによって、ユーザは、一回のドラッグ操作によって複数の商品を切り抜いて、商品販売システムとの連動が維持されたプレゼンシートを作成することができる。
【００５５】
図６の説明に戻る。次に、電子カタログ編集装置２の入力部１３は、プレゼンシート画面２４に対する切り抜き領域の画像の貼付指示を受け付ける（Ｓ４）。
【００５６】
図１０は、クリップ機能の操作例を示す図（３）である。図１０に示すように、クリップ画面２７が通常表示されている状態で、ユーザが、クリップリスト表示領域７０内の画像をタップし、入力部１３がタップ操作を検知すると、電子カタログ編集装置２の表示部１４は、制御部１１による制御に従い、タップされた画像の周囲を強調表示する。ここで、強調表示とは、画像の背景を通常と異なる色によって表示することを意味する。図１０の例では、デザインチェアＣの画像８２の周囲が強調表示されている。
【００５７】
この後、ユーザが、ブックビューア画面２５内のいずれかの位置をタップし、入力部１３がタップ操作を検知すると、電子カタログ編集装置２の制御部１１は、入力部１３によって貼付指示が受け付けられたものとする。
【００５８】
図６の説明に戻る。次に、電子カタログ編集装置２の制御部１１は、入力部１３によって貼付指示が受け付けられると、プレゼンシート画面２４に切り抜き領域の画像を貼り付けてプレゼンシート表示ファイル３６を作成する（Ｓ５）。また、電子カタログ編集装置２の制御部１１は、プレゼンシート表示ファイル３６と対応付けて、切り抜き領域の画像の掲載領域及びデータファイルに記憶されている商品識別番号の対応関係が記載されるプレゼンシート非表示ファイル３７を作成する（Ｓ６）。
【００５９】
図１１は、プレゼンシート作成（編集）機能の操作例を示す図（１）である。図１１に示す例では、電子カタログ編集装置２の制御部１１が、入力部１３によって受け付けられた貼付指示に対して、プレゼンシート画面２４に切り抜き領域の画像を貼り付けてプレゼンシート表示ファイル３６を作成した状態を示している。図１１では、プレゼンシート画面２４にデザインチェアＣの画像９１が図示されている。デザインチェアＣの画像９１の初期掲載位置は、例えば、プレゼンシート画面２４の中央である。また、クリップ画面２７の下部には、プレゼンシート画面２４の表示と連動して、ラベルボタン７５及び保存ボタン７６が表示されている。ラベルボタン７５は、プレゼンシート画面２４に対するラベル追加を指示するためのボタンである。保存ボタン７６は、プレゼンシート画面２４における作業結果の保存を指示するためのボタンである。
【００６０】
図１１には図示されないが、電子カタログ編集装置２の制御部１１は、デザインチェアＣの画像９１の掲載領域及びデータファイルに記憶されているデザインチェアＣの商品識別番号の対応関係が記載されるプレゼンシート非表示ファイル３７を作成する。
【００６１】
図１２は、プレゼンシート作成（編集）機能の操作例を示す図（２）である。図１２に示すように、デザインチェアＣの画像９１の掲載領域は、ユーザが入力部１３を介して位置変更を指示することができる。電子カタログ編集装置２の制御部１１は、入力部１３によって掲載領域の位置変更の指示が受け付けられると、プレゼンシート非表示ファイル３７に記載されている切り抜き領域の画像の掲載領域を更新する。図１２に示す例では、デザインチェアＣの画像９１の掲載領域の位置が、図１１から変更されている。また、ユーザは、位置変更の他に、画像の四隅に表示されるアンカー（不図示）をドラッグすることによって、画像の拡大縮小を指示することもできる。
【００６２】
また、ユーザは、入力部１３を介してラベルボタン７５をタップすることによって、ラベル追加を指示することができる。図１２では、ラベルボタン７５に斜線が付されており、選択状態となっている。以下、同様に、選択状態は、斜線にて図示するものとする。図１２に示す例では、ラベル９２が追加されている。
【００６３】
図１３は、プレゼンシート作成（編集）機能の操作例を示す図（３）である。図１３に示すように、ラベルには、文字を入力することができる。図１３に示す例では、デザインチェアＣの画像９１の下部に追加されたラベル９２に対して、「新商品！予約受付中！」の文字が図示されている。また、図１３に示す例では、デザインチェアＡの画像９３の下部に追加されたラベル９４に対して、「特価品！限定３０個！」の文字が図示されている。ラベルに入力可能な文字は、この例に限定されず、商品情報ＤＢ４に記憶されているデータを挿入することもできるし、ユーザがソフトウエアキーボード（不図示）等によって自由に入力することもできる。また、ユーザは、ラベルのフォント、フォントサイズ、文字色の変更も指示することができる。更に、ユーザは、ページ追加ボタン（不図示）を押下することによってページを追加し、プレゼンシートを小冊子のような形にすることもできる。
【００６４】
ユーザが、入力部１３を介して保存ボタン７６をタップし、入力部１３がタップ操作を検知すると、電子カタログ編集装置２の制御部１１は、現在のプレゼンシート画面２４における作業結果を、プレゼンシートデータ３５として、記憶部１２に記憶する。
【００６５】
図６の説明に戻る。次に、電子カタログ編集装置２の通信制御部１５は、入力部１３によってプレゼンシートデータ３５のアップロード指示が受け付けられると、制御部１１による制御に従い、記憶部１２に記憶されているプレゼンシートデータ３５を配信サーバ３にアップロードする（Ｓ７）。アップロードされたプレゼンシートデータ３５は、電子カタログと同様、他のユーザがダウンロードすることができる。
【００６６】
以下では、図１４、図１５を参照しながら、作成されたプレゼンシートデータ３５の利用例を説明する。
【００６７】
図１４は、プレゼンシート画面及びカート画面の一例を示す図である。図１４には、記憶部１２に記憶されているプレゼンシートデータ３５の内容が、ブックビューア画面２５に表示されている。図１４に示すように、ユーザが、ブックビューア画面２５内のいずれかの画像をタップし、入力部１３がタップ操作を検知すると、電子カタログ編集装置２の表示部１４は、制御部１１による制御に従い、タップされた画像の周囲に、カートに入れるボタン１０１及び商品詳細ボタン１０２を表示する。図１４の例では、デザインチェアＣの画像９１の上部に、カートに入れるボタン１０１及び商品詳細ボタン１０２が表示されている。ここで、カートとは、ユーザが見積り処理や発注処理を行いたい商品を一時的にリストアップできるソフトウエアの機能を意味する。
【００６８】
ここで、カートに入れるボタン１０１によって実行される機能について説明する。入力部１３は、ブックビューア画面２５に表示されているプレゼンシート表示ファイル３６に対して、切り抜き領域の画像によって特定される商品のカート追加指示を受け付ける。制御部１１は、入力部１３によってカート追加指示が受け付けられると、プレゼンシート非表示ファイル３７を参照して商品識別番号を特定し、商品識別番号の商品をカートに追加する。表示部１４は、商品が追加されたカート画面２８を表示する。これによって、ユーザは、電子カタログと同様に、プレゼンシートからも、商品販売システムにおける見積り処理や発注処理を行うことができる。
【００６９】
図１４では、既にパーソナルチェアがカートに入れられており、更に、デザインチェアＣが追加される例を示している。カート画面２８の下部には、カートをクリアボタン１１２、合計額表示欄１１３、購入画面へボタン１１４が表示されている。カート画面２８には、パーソナルチェアの購入情報１１５及びデザインチェアＣの購入情報１１６が表示されている。また、これらの購入情報に対応して、それぞれクリアボタン１１７が表示されている。
【００７０】
図１５は、商品詳細画面の一例を示す図である。図１４では、図１４に示すプレゼンシート画面において、商品詳細ボタン１０２がタップされた状態を示している。
【００７１】
ここで、商品詳細ボタン１０２によって実行される機能について説明する。入力部１３は、ブックビューア画面２５に表示されているプレゼンシート表示ファイル３６に対して、切り抜き領域の画像によって特定される商品の詳細表示指示を受け付ける。制御部１１は、入力部１３によって詳細表示指示が受け付けられると、プレゼンシート非表示ファイル３７を参照して商品識別番号を特定し、商品識別番号の商品を検索する。表示部１４は、検索された商品の詳細表示画面２５を表示する。これによって、ユーザは、電子カタログと同様に、プレゼンシートからも、商品の詳細情報を確認することができる。
【００７２】
図１５では、デザインチェアＣの詳細情報が表示されている。商品詳細画面２６には、デザインチェアＣの画像１２１、品番１２２、価格１２３、備考１２４、カートに入れるボタン１２５、もっと詳しくボタン１２６、関連商品としてのデザインチェアＡの縮小画像１２７及びデザインチェアＢの縮小画像１２８が図示されている。
【００７３】
以上、本発明の実施の形態における電子カタログ編集装置によれば、ユーザは、商品情報を自由にレイアウトし、商品販売システムとの連動が維持されたプレゼンシートを作成することができる。
【００７４】
以上、添付図面を参照しながら、本発明に係る電子カタログ編集装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７５】
１………電子カタログ提供システム
２………電子カタログ編集装置
３………配信サーバ
４………商品情報ＤＢ
５………カタログ配信ＤＢ
６………プレゼンシートＤＢ
７………ネットワーク
２１………書庫画面
２２………本棚画面
２３………商品検索画面
２４………プレゼンシート画面
２５………ブックビューア画面
２６………商品詳細画面
２７………クリップ画面
２８………カート画面
３０………紙面データ
３１………紙面表示ファイル
３２………紙面非表示ファイル
３５………プレゼンシートデータ
３６………プレゼンシート表示ファイル
３７………プレゼンシート非表示ファイル
【図１】
2013242634.tif 000003
【図２】
2013242634.tif 000004
【図３】
2013242634.tif 000005
【図４】
2013242634.tif 000006
【図５】
2013242634.tif 000007
【図６】
2013242634.tif 000008
【図７】
2013242634.tif 000009
【図８】
2013242634.tif 000010
【図９】
2013242634.tif 000011
【図１０】
2013242634.tif 000012
【図１１】
2013242634.tif 000013
【図１２】
2013242634.tif 000014
【図１３】
2013242634.tif 000015
【図１４】
2013242634.tif 000016
【図１５】
2013242634.tif 000017